(57)【要約】【課題】スライド式を採用しながら、陳列室の前面開口のシール性も確保し、且つ、開閉操作も容易とすることができるショーケースを提供する。【解決手段】扉開閉案内機構６は、本体の２上部に設けられた案内溝２８と、各透明扉１８、１９の上部から本体側に延在するアーム３６に設けられて案内溝に移動自在に係合するローラ４１、４２を備える。案内溝は、陳列室の前面開口を閉塞した状態で各透明扉が左右に並び、陳列室の開口縁における本体の前面に当接し、透明扉１８を開放する際、回転により透明扉１９側の端部が当該透明扉１９より前側に移動した後、当該端部が透明扉１９の前側を左右方向に移動するに伴って反対側の端部が斜めに前方へ移動し、最終的に透明扉１８が透明扉１９の前側に位置して前後に重合する形状とされている。【選択図】図５
2014150992.tif 000002
【特許請求の範囲】
【請求項１】
本体内に構成された陳列室の前面開口を、透視可能な扉装置にて開閉自在に閉塞して成るショーケースにおいて、
前記扉装置は、スライド式の第１及び第２の透明扉と、これら透明扉をスライドさせるときの移動を案内する扉開閉案内機構とから成り、
該扉開閉案内機構は、前記本体の上部に設けられた案内溝と、前記各透明扉の上部から前記本体側に延在するアームに設けられて前記案内溝に移動自在に係合する係合部とを備え、前記案内溝は、
前記陳列室の前面開口を閉塞した状態で前記各透明扉が左右に並び、前記陳列室の開口縁における前記本体の前面に当接すると共に、
その状態から一方の前記透明扉を開放する際、回転により他方の前記透明扉側の端部が当該他方の透明扉より前側に移動した後、当該端部が前記他方の透明扉の前側を左右方向に移動するに伴って反対側の端部が斜めに前方へ移動し、最終的に前記一方の透明扉が前記他方の透明扉の前側に位置して各透明扉が前後に重合する形状とされていることを特徴とするショーケース。
【請求項２】
前記各透明扉の内面周囲に設けられたガスケットを備え、
前記陳列室内は冷凍温度に冷却されると共に、前記各透明扉は、前記ガスケットを前記本体の前面に密着させて前記陳列室の前面開口を閉塞することを特徴とする請求項１に記載のショーケース。
【請求項３】
前記案内溝は、左右方向に延在する延在部と、該延在部の中央部から分岐して斜め後ろ外側にそれぞれ向かう第１及び第２の内側後退部と、前記延在部の両端部から分岐してそれぞれ斜め後ろ外側に向かう第１及び第２の外側後退部とから成り、
前記第１の透明扉から前記本体側に延在するアームに設けられた係合部は、当該第１の透明扉の両端部に設けられて前記第１の内側後退部及び第１の外側後退部にそれぞれ係合する第１の内側係合部及び第１の外側係合部から成り、
前記第２の透明扉から前記本体側に延在するアームに設けられた係合部は、当該第２の透明扉の両端部に設けられて前記第２の内側後退部及び第２の外側後退部にそれぞれ係合する第２の内側係合部及び第２の外側係合部から成り、
前記各内側後退部と前記延在部の成す角度が、前記各外側後退部と前記延在部の成す角度よりも直角に近いものとなるよう各角度を異なるものとしたことを特徴とする請求項１又は請求項２に記載のショーケース。
【請求項４】
前記扉開閉案内機構は、前記本体の下部に設けられ、前記各透明扉の下側に位置する荷重受け面と、前記各透明扉の下部から突出して前記荷重受け面に転動自在に当接するボールベアリングとを備えたことを特徴とする請求項１乃至請求項３のうちの何れかに記載のショーケース。
【請求項５】
前記各透明扉の相隣接する側にそれぞれ設けられ、前方に突出する扉ハンドルを備え、
前記案内溝は、前記他方の透明扉の扉ハンドルを避けて前記一方の透明扉を移動させる形状とされていることを特徴とする請求項１乃至請求項４のうちの何れかに記載のショーケース。
【請求項６】
前記扉開閉案内機構は、前記アーム及び透明扉に設けられ、移動中及び開放状態における前記各透明扉間の間隔を保持するローラを備えたことを特徴とする請求項４又は請求項５に記載のショーケース。
【発明の詳細な説明】
【技術分野】
【０００１】
本発明は、陳列室の前面開口を透視可能な扉装置にて開閉するショーケースに関する。
【背景技術】
【０００２】
商品を陳列する陳列室の前面開口をガラス扉等の透明扉にて開閉自在に閉塞する所謂リーチインタイプと称されるショーケースは、本体に対して一側が回動自在に枢支された回転式の透明扉にて開閉するか（例えば、特許文献１参照）、引き戸式と称されるスライド式の透明扉にて閉塞するか（例えば、特許文献２参照）の何れかの扉装置が採用されていた。
【先行技術文献】
【特許文献】
【０００３】
【特許文献１】特開２００５−３２３８３０号公報
【特許文献２】特開２００６−２２３３５０号公報
【特許文献３】特開平９−４１７８７号公報
【特許文献４】特開平６−８１５４７号公報
【発明の概要】
【発明が解決しようとする課題】
【０００４】
特許文献１の回動式の透明扉は、その内面周囲に設けられたガスケットを陳列室の開口縁の本体前面に密着させることができるため、冷気漏れや外気の侵入を嫌う冷凍ショーケースには極めて有利であるが、透明扉が回転するためのスペースをショーケースの前方に確保しなければならず、店舗内のスペース利用上、不利な面があった。
【０００５】
一方、特許文献２のスライド式の透明扉は、陳列室の開口開放した際に一方の透明扉が他方の透明扉と重合するため、係る回転のためのスペースは不要となる反面、上下のレール内をローラにより滑動するかたちとなるため、透明扉の上下や各透明扉間にどうしても隙間が発生する。前記特許文献２では透明扉間をシールするシール部も形成しているが、冷気漏れや外気の侵入は否めず、特に冷凍ショーケースに採用するにはシール効果が不十分であった。
【０００６】
そこで、例えば特許文献３のように二枚並設された扉をスライドさせ、一方の扉の開放時には他方の扉の前側に一方の扉を移動させる扉装置も開発されている。しかしながら、この構造では一方の扉が平行移動により他方の扉の前側に移動するような溝形状となっているため、扉の左右のローラが溝に当たりながら斜め前方に平行移動することになり、移動時の抵抗が大きく、扉の開閉が面倒なものとなる欠点がある。
【０００７】
また、例えば特許文献４のように一方の扉を一連の溝に沿って他方の扉の前側に移動させる場合には、それぞれの扉用の溝の交差部分で軸が引っ掛かり、また、一連の溝に沿った左右の軸の一連の斜め移動自体が抵抗の大きい動きとなる問題があった。
【０００８】
本発明は、係る従来の技術的課題を解決するために成されたものであり、スライド式を採用しながら、陳列室の前面開口のシール性も確保し、且つ、開閉操作も容易とすることができるショーケースを提供することを目的とする。
【課題を解決するための手段】
【０００９】
そこで、本発明のショーケースは、本体内に構成された陳列室の前面開口を、透視可能な扉装置にて開閉自在に閉塞して成るものにおいて、扉装置は、スライド式の第１及び第２の透明扉と、これら透明扉をスライドさせるときの移動を案内する扉開閉案内機構とから成り、この扉開閉案内機構は、本体の上部に設けられた案内溝と、各透明扉の上部から本体側に延在するアームに設けられて案内溝に移動自在に係合する係合部とを備え、案内溝は、陳列室の前面開口を閉塞した状態で各透明扉が左右に並び、陳列室の開口縁における本体の前面に当接すると共に、その状態から一方の透明扉を開放する際、回転により他方の透明扉側の端部が当該他方の透明扉より前側に移動した後、当該端部が他方の透明扉の前側を左右方向に移動するに伴って反対側の端部が斜めに前方へ移動し、最終的に一方の透明扉が他方の透明扉の前側に位置して各透明扉が前後に重合する形状とされていることを特徴とする。
【００１０】
請求項２の発明のショーケースは、上記発明において各透明扉の内面周囲に設けられたガスケットを備え、陳列室内は冷凍温度に冷却されると共に、各透明扉は、ガスケットを本体の前面に密着させて陳列室の前面開口を閉塞することを特徴とする。
【００１１】
請求項３の発明のショーケースは、上記各発明において案内溝は、左右方向に延在する延在部と、この延在部の中央部から分岐して斜め後ろ外側にそれぞれ向かう第１及び第２の内側後退部と、延在部の両端部から分岐してそれぞれ斜め後ろ外側に向かう第１及び第２の外側後退部とから成り、第１の透明扉から本体側に延在するアームに設けられた係合部は、第１の透明扉の両端部に設けられて第１の内側後退部及び第１の外側後退部にそれぞれ係合する第１の内側係合部及び第１の外側係合部から成り、第２の透明扉から本体側に延在するアームに設けられた係合部は、第２の透明扉の両端部に設けられて第２の内側後退部及び第２の外側後退部にそれぞれ係合する第２の内側係合部及び第２の外側係合部から成り、各内側後退部と延在部の成す角度が、各外側後退部と延在部の成す角度よりも直角に近いものとなるよう各角度を異なるものとしたことを特徴とする。
【００１２】
請求項４の発明のショーケースは、上記各発明において扉開閉案内機構は、本体の下部に設けられ、各透明扉の下側に位置する荷重受け面と、各透明扉の下部から突出して荷重受け面に転動自在に当接するボールベアリングとを備えたことを特徴とする。
【００１３】
請求項５の発明のショーケースは、上記各発明において各透明扉の相隣接する側にそれぞれ設けられ、前方に突出する扉ハンドルを備え、案内溝は、他方の透明扉の扉ハンドルを避けて一方の透明扉を移動させる形状とされていることを特徴とする。
【００１４】
請求項６の発明のショーケースは、請求項４又は請求項５の発明において扉開閉案内機構は、アーム及び透明扉に設けられ、移動中及び開放状態における各透明扉間の間隔を保持するローラを備えたことを特徴とする。
【発明の効果】
【００１５】
本発明によれば、本体内に構成された陳列室の前面開口を、透視可能な扉装置にて開閉自在に閉塞して成るショーケースにおいて、扉装置を、スライド式の第１及び第２の透明扉と、これら透明扉をスライドさせるときの移動を案内する扉開閉案内機構とから構成し、この扉開閉案内機構が、本体の上部に設けられた案内溝と、各透明扉の上部から本体側に延在するアームに設けられて案内溝に移動自在に係合する係合部とを備え、案内溝の形状を、各透明扉が陳列室の前面開口を閉塞した状態で左右に並び、陳列室の開口縁における本体の前面に当接するようにしたので、例えば請求項２の発明の如く透明扉の内面周囲に設けたガスケットを本体の前面に密着させて陳列室の前面開口を閉塞することができるようになる。これにより、陳列室内を冷凍温度に冷却する冷凍ショーケースにおいても十分なシール性を確保することが可能となる。
【００１６】
そして、各透明扉により陳列室の前面開口を閉じた状態から一方の透明扉をスライドさせて開放する際には、扉開閉案内機構の案内溝が、当該一方の透明扉を他方の透明扉の前側に移動させ、各透明扉を前後に重合させるので、支障無く当該一方の透明扉を開放することができるようになると共に、このとき扉回転のためのショーケース前方のスペースも不要となるので、店舗内のスペースも有効に活用することができるようになる。
【００１７】
このとき案内溝の形状を、一方の透明扉を開放する際、回転により他方の透明扉側の端部が当該他方の透明扉より前側に移動した後、当該端部が他方の透明扉の前側を左右方向に移動するに伴って反対側の端部が斜めに前方へ移動し、最終的に一方の透明扉が他方の透明扉の前側に位置して各透明扉が前後に重合する形状としているので、透明扉を開き始めるときの動作は、回転式の扉の如き回転と、その後の斜め移動という二段階の動作となる。
【００１８】
即ち、透明扉の開き始めは回転のみ、その後の斜め移動の際には、他方の透明扉側の端部は左右方向に移動し、反対側の端部のみが斜め前方に移動する動作となるので、従来の如く扉を並行移動で他方の扉の前側に移動させる場合や一連の動作で斜め移動を行う場合に比して、軽い操作で透明扉を開閉することができるようになり、透明扉を開閉する際の操作性を著しく向上させることが可能となる。
【００１９】
この場合、請求項３の発明の如く案内溝を、左右方向に延在する延在部と、この延在部の中央部から分岐して斜め後ろ外側にそれぞれ向かう第１及び第２の内側後退部と、延在部の両端部から分岐してそれぞれ斜め後ろ外側に向かう第１及び第２の外側後退部とから構成し、第１の透明扉から本体側に延在するアームに設けられた係合部を、第１の透明扉の両端部に設けられて第１の内側後退部及び第１の外側後退部にそれぞれ係合する第１の内側係合部及び第１の外側係合部から構成し、第２の透明扉から本体側に延在するアームに設けられた係合部を、第２の透明扉の両端部に設けられて第２の内側後退部及び第２の外側後退部にそれぞれ係合する第２の内側係合部及び第２の外側係合部から構成すると共に、各内側後退部と延在部の成す角度が、各外側後退部と延在部の成す角度よりも直角に近いものとなるよう各角度を異なるものとすることにより、例えば、第１の透明扉を開き始めるときに当該第１の透明扉を第１の外側係合部を中心として回転させた場合、第１の内側係合部は第１の内側後退部内を円滑に移動し、延在部に至ることができる。そしてこの回転により、第１の透明扉の第２の透明扉側の端部が前側に移動した後、第１の透明扉を第２の透明扉側に移動させれば、第１の内側係合部は延在部内を左右方向に移動し、第１の外側係合部は第１の外側後退部内を、その延在方向に沿って円滑に斜め前方に移動して延在部に至り、最終的に左右方向に移動するようになる。このような構成としたことで、前記透明扉の開き始めの二段階の動作を円滑に実現することが可能となる。
【００２０】
更に、請求項４の発明では上記各発明に加えて扉開閉案内機構は、本体の下部に設けられ、各透明扉の下側に位置する荷重受け面と、各透明扉の下部から突出して荷重受け面に転動自在に当接するボールベアリングとを備えているので、透明扉の荷重を荷重受け面にて安定的に受け止めることができると共に、ボールベアリングは荷重受け面上を転動するのみであるので、従来の如く扉の下部も溝で規制された動作とした場合に比して、より円滑で容易な透明扉のスライド移動を実現することが可能となる。
【００２１】
更にまた、請求項５の発明では上記各発明に加えて各透明扉の相隣接する側にそれぞれ設けられ、前方に突出する扉ハンドルを備えているので、この扉ハンドルに手指を掛けて一方の透明扉を他方の透明扉の前側に移動させる作業を円滑に行えるようになると共に、案内溝は、他方の透明扉の扉ハンドルを避けて一方の透明扉をスライドさせる形状とされているので、移動の際に他方の透明扉の扉ハンドルと一方の透明扉が干渉する不都合も未然に回避することができる。
【００２２】
この場合、請求項６の発明の如く扉開閉案内機構が、アーム及び透明扉に取り付けられて移動中及び開放状態における各透明扉間の間隔を保持するローラを備えるものとすれば、移動の際及び開放中における他方の透明扉の扉ハンドル等と一方の透明扉とが直接衝突する不都合を確実に防止しながら、一方の透明扉の円滑なスライドも担保することが可能となる。特に、請求項４の発明の如くボールベアリングを荷重受け面に当接させて各透明扉を移動させる場合に、両透明扉の下部同士が直接衝突する不都合を防止する上で有効である。
【図面の簡単な説明】
【００２３】
【図１】本発明を適用した一実施例のショーケースの正面図である。
【図２】図１のショーケースの斜視図である。
【図３】図１のショーケースの縦断側面図である。
【図４】図１のショーケースの平断面図である。
【図５】図１のショーケースの一部透視平面図である。
【図６】図１のショーケースの透明扉の正面図である。
【図７】図６の透明扉の側面図である。
【図８】一方の透明扉を開き始めた状態を説明する図１のショーケースの一部透視平面図である。
【図９】図８の状態の図１のショーケースの斜視図である。
【図１０】図８の一方の透明扉をスライド移動し始めた状態を説明する図１のショーケースの斜視図である。
【図１１】一方の透明扉を開放した状態を説明する図１のショーケースの一部透視平面図である。
【図１２】図１１の状態の図１のショーケースの斜視図である。
【発明を実施するための形態】
【００２４】
以下、本発明の一実施の形態について、図面に基づいて詳細に説明する。
【００２５】
実施例のショーケース１は、スーパーマーケットやコンビニエンスストア等の店舗に設置されて冷凍食品等の商品を冷却しながら陳列するクローズドタイプの冷凍ショーケースであり、上下の断熱壁２Ａ、２Ｂ、左右の断熱壁２Ｃ、２Ｄ及び背面の断熱壁２Ｅから構成されて前面が開口した箱状の本体２と、この本体２内に構成された陳列室３の前面開口４を開閉自在に閉塞する透視可能な扉装置６等から構成されている。陳列室３内には複数段の棚７が架設され、各棚７上に冷凍食品や冷菓等の商品が陳列される。
【００２６】
本体２の内側には間隔を存して仕切板８が取り付けられており、陳列室３はこの仕切板８の内側に構成され、仕切板８の外側には冷気ダクト９が構成されている。そして、底部の冷気ダクト９内に冷却装置Ｒの冷却器１１と送風機１２が設置され、この冷却器１１と熱交換した冷気が送風機１２により冷気ダクト９を介し、開口４上縁の吐出口１３より陳列室３内に吐出し、下縁の吸込口１４から吸い込んで陳列室３内に循環されることで、陳列室３内は冷凍温度（例えば−２０℃程）に冷却される。
【００２７】
実施例で本体２には陳列室３の前面開口４の両側に位置して側部柱部材１５が取り付けられており、陳列室３の前面開口４の中央にはそれを左右に仕切る中央柱部材１６が取り付けられ、この中央柱部材１６の金属製の前面と側部柱部材１５の金属製の前面は本発明における本体２の前面を構成する。そして、この側部柱部材１５の後面及び中央柱部材１６の後面にはＬＥＤから成る照明装置１７が取り付けられている（図４では示していない）。
【００２８】
他方、扉装置６は向かって右側に位置する第１の透明扉１８と左側に並ぶ第２の透明扉１９、及び、これら第１及び第２の透明扉１８、１９のスライド移動を案内するための扉開閉案内機構２１から構成されている。各透明扉１８、１９は通常の回転式のガラス扉と同様の構造であり、第１の透明扉１８は図６、図７に示すようにサッシュ２２と、このサッシュ２２に嵌め込まれた透明ガラス２３とから構成され、向かって左側（第２の透明扉１９側）のサッシュ２２の上下方向の中央には扉ハンドル２４が前方に突出して形成されている。第２の透明扉１９も同様のサッシュ２２と透明ガラス２３の構成であるが、第２の透明扉１９の場合にはその向かって右側（第１の透明扉１８側）のサッシュ２２の上下方向の中央に同様の扉ハンドル２４が前方に突出して形成されている（図１、図３）。また、各透明扉１８、１９のサッシュ２２の内面周囲には、図４、図７に示すようにマグネット式のガスケット２６が取り付けられている。
【００２９】
他方、実施例の扉開閉案内機構２１は、以下の部材２７〜４９等から構成される。即ち、２７は本体２の上面の断熱壁２Ａ前部に左右に渡って取り付けられた案内部材であり、この案内部材２７の上面には案内溝２８が形成されている。案内溝２８は図５に示すように左右に延在する延在部２９と、この延在部２９の中央部の右及び左から連続して分岐し、斜め後ろ外側にそれぞれ向かう第１及び第２の内側後退部３１、３２と、延在部２９の右端部及び左端部から連続して分岐し、それぞれ斜め後ろ外側に向かう第１及び第２の外側後退部３３、３４とから構成されている。
【００３０】
即ち、第１の内側後退部３１は斜め後ろ右側（外側）に向かい、第１の外側後退部３３も斜め後ろ右側（外側）に向かうが、第１の内側後退部３１と延在部２９とが成す角度は、第１の外側後退部３３と延在部２９とが成す角度よりも直角に近い角度になるように構成されている。即ち、両角度は異なるように設定され、第１の内側後退部３１と延在部２９とが成す右側（外側）の角度は、第１の外側後退部３３と延在部２９とが成す右側（外側）の角度よりも大きくなるように構成され、第１の外側後退部３３の方が、第１の内側後退部３１よりも浅い角度で延在部２９から後退している。
【００３１】
また、第２の内側後退部３２は斜め後ろ左側（外側）に向かい、第２の外側後退部３４も斜め後ろ左側（外側）に向かうが、第２の内側後退部３２と延在部２９とが成す角度は、第２の外側後退部３４と延在部２９とが成す角度よりも直角に近い角度になるように構成されている。即ち、両角度も異なるように設定され、第２の内側後退部３２と延在部２９とが成す左側（外側）の角度は、第２の外側後退部３４と延在部２９とが成す左側（外側）の角度よりも大きくなるように構成され、第２の外側後退部３４の方が、第２の内側後退部３２よりも浅い角度で延在部２９から後退している（図５）。尚、第１及び第２の内側後退部３１、３２は、延在部２９に向けて徐々に拡開する形状を呈している（図５）。
【００３２】
３６は各透明扉１８、１９の上面（サッシュ２２の上面）にそれぞれ取り付けられ、本体２側に延在するアームであり、このアーム３６は各透明扉１８、１９の上面から垂直に上昇した後、水平後方に延在する取付板３７と、この取付板３７の後端に取り付けられ、各透明扉１８、１９の後上方にて平行となるローラ板３８とから成る。尚、第１の透明扉１８の場合は向かって右側（第２の透明扉１９とは反対側）に取付板３７が取り付けられ、ローラ板３８はこの取付板３７から左方（第２の透明扉１９方向）に延在し、第２の透明扉１９の場合は向かって左側（第１の透明扉１８とは反対側）に取付板３７が取り付けられ、ローラ板３８はこの取付板３７から右方（第１の透明扉１８方向）に延在する（図５）。
【００３３】
また、第１の透明扉１８のローラ板３８の下面左側部分と右端にはそれぞれ係合部を構成するローラ４１、４２が取り付けられており、何れも垂直方向を回転軸としている。この第１の透明扉１８のローラ４１が本発明における第１の内側係合部となり、ローラ４２が第１の外側係合部となる。また、第２の透明扉１９のローラ板３８の下面右側部分と左端にはこれもそれぞれ係合部を構成する同様のローラ４１、４２が取り付けられており、これらも垂直方向を回転軸としている。この第２の透明扉１８のローラ４１が本発明における第２の内側係合部となり、ローラ４２が第２の外側係合部となる。また、第１の透明扉１８のローラ板３８の左端隅角部には、前側に突出した位置にローラ４３が取り付けられ、第２の透明扉１９のローラ板３８の右端隅角部にも、前側に突出した位置に同様のローラ４３が取り付けられ、何れも垂直方向を回転軸としている。尚、３９は透明扉１８、１９の前面から上方に連続して取付板３７の前面を被覆するカバーである。
【００３４】
また、各透明扉１８、１９の下部に位置するサッシュ２２の下面左右には、ボールベアリング４４がそれぞれ取り付けられ、下方に突出している。また、各透明扉１８、１９下部のサッシュ２２（下辺）の後面には、中央と左右端にそれぞれローラ４６が取り付けられ、後方に突出している。このローラ４６は垂直方向を回転軸としている。更に、本体２の下面の断熱壁２Ｂには、各透明扉１８、１９の下側に位置するように前方に突出した下突出部材４７が設けられており、この下突出部材４７の上面は滑らかな金属板からなる荷重受け面４８とされている。
【００３５】
そして、各透明扉１８、１９上方のローラ板３８のローラ４１、４２を案内溝２８内に上から挿入して移動自在（滑動自在）に係合させ、各透明扉１８、１９の下面のボールベアリング４４は荷重受け面４８上に載せて転動自在に当接させることで、各透明扉１８、１９を本体２にスライド自在に取り付ける。これにより、各透明扉１８、１９の荷重は荷重受け面４８が受け止めることになる。尚、４９は案内部材２７やアーム３６を隠蔽する上カバーであり、５１はこの上カバー４９の前面に取り付けられた機器操作部である。この機器操作部５１には温度表示部も設けられている。左右の断熱壁２Ｃ、２Ｄは上面の断熱壁２Ａより上方に突出しており、上か４９は断熱壁２Ｃ、２Ｄの上面と面一とされている。
【００３６】
以上の構成で、次に扉装置６の各透明扉１８、１９の開閉動作について図５〜図１２を参照しながら説明する。各透明扉１８、１９が陳列室３の前面開口４を閉じた状態では、図５に示す如く第１の透明扉１８のローラ４１は案内溝２８の第１の内側後退部３１の奥部に位置しており、ローラ４２は第１の外側後退部３３の奥部に位置している。また、第２の透明扉１９のローラ４１は第２の内側後退部３２の奥部に位置しており、ローラ４２は第２の外側後退部３４の奥部に位置している。
【００３７】
尚、第１及び第２の内側後退部３１、３２は、前述したように第１及び第２の外側後退部よりも直角に近い角度で延在部から分岐させているが、その角度は、図５に示すように第１及び第２の外側後退部３３、３４の奥部にあるときのローラ４２を中心として各透明扉１８、１９を回動させたときに、ローラ４１が各内側後退部３１、３２内を通過することができるものとする。
【００３８】
この状態で、各透明扉１８、１９は左右に並び、ガスケット２６は本体２の前面（中央柱部材１６、側部柱部材１５の前面）に磁力によって吸着している(図４）。これにより、陳列室３の前面開口４は閉じられ、密閉状態でシールされるので、冷凍温度となる陳列室３内からの冷気の漏れや陳列室３内への外気の侵入が確実に阻止される。このとき、突出部４７の上側の本体２前面には図９、図１０、図１２に示す如く凹陥部５２、５２Ａが計五カ所形成されており、各透明扉１８、１９下部のローラ４６は各凹陥部５２、５２Ａ内に格納されたかたちとなる。尚、この場合、中央の凹陥部５２Ａは左右に長く形成され、各透明扉１８、１９の相隣接する側の端部のローラ４６、４６は、この中央の凹陥部５２Ａ内に格納される。
【００３９】
この状態から、例えば第１の透明扉１８を開放する際には（第２の透明扉１９を開放する場合は左右反対の動作となるのみなので、説明を省略する）、先ず第１の透明扉１８の扉ハンドル２４に手指を掛けて手前に引く。このとき、第１の内側後退部３１は前述した如く直角に近い角度とされ、ローラ４２が第１の外側後退部３３の奥部にあるときに当該ローラ４２を中心として第１の透明扉１８を回転させたときにローラ４１が第１の内側後退部３１を通過することができる角度で延在部２９から分岐しているので、扉ハンドル２４を手前に引くことで、第１の透明扉１８はローラ４２を中心として図５中反時計回りに円滑に回転することができる。そして、ローラ４１は第１の内側後退部３１を通過して延在部２９内に出る。
【００４０】
この開き始めの状態を図８及び図９に示す。このとき、第１の透明扉１８の第２の透明扉１９側の端部（第２の透明扉１９側に位置するローラ４６も含む）のみが第２の透明扉１９より前側に移動する。また、ローラ４１は延在部２９内に位置するが、ローラ４２は未だ第１の外側後退部３３の奥部にある。
【００４１】
次に、第１の透明扉１８の扉ハンドル２４を第２の透明扉１９方向（左方向）に押せば、ローラ４１は延在部２９内を左方向に移動し、ローラ４２は第１の外側後退部３３内をこの外側後退部３３の延在方向に沿って斜めに移動して前方に移動し、延在部２９に至る。即ち、係るローラ４１、４２の移動により、第１の透明扉１８の第２の透明扉１９側の端部（左側の端部。ローラ４１側の端部）が第２の透明扉１９側（左方向）に移動するに伴い、第１の透明扉１８の反対側の端部（ローラ４２側の端部）は斜めに前方に移動し、第１の透明扉１８は図１０に示す如く第２の透明扉１９と平行になる。
【００４２】
そして、更に第１の透明扉１８を第２の透明扉１９側（左方向）に移動させれば、ローラ４１、４２は延在部２９内を左方向に移動し、最終的に第１の透明扉１８は第２の透明扉１９の前側に位置するようになる。このとき、第１の透明扉１８から前方に突出した扉ハンドル２４に手指を掛けられるので、容易に移動させることができる。この状態で各透明扉１８、１９は前後に重合することになる（図１１、図１２）。また、このような移動中、第１の透明扉１８下部のボールベアリング４４は荷重受け面４８上を転動して移動する。
【００４３】
上記図８及び図９から図１０に至る動作の如く、本発明では案内溝２８を、第１の透明扉１８を開放する際、第２の透明扉１９側の端部のみが前側に移動した後、当該端部が第２の透明扉１９の前側に移動するに伴って反対側の端部が斜めに前方に移動し、最終的に第１の透明扉１８が第２の透明扉１９の前側に位置して各透明扉１８、１９が前後に重合する形状としたので、第１の透明扉１８を開き始めるときの動作は、回転式の扉の如き回転と、その後の斜め移動という二段階の動作となる。
【００４４】
即ち、第１の透明扉１８の開き始めは回転させるのみであり、その後の斜め移動の際には、第２の透明扉１９側の端部（ローラ４１側の端部）は左右方向に移動し、反対側の端部（ローラ４２側の端部）のみが斜め前方に移動する動作となる。これにより、従来の構造の如く透明扉１８を並行移動で透明扉１９の前側に移動させる場合や一連の動作で斜め移動を行う場合に比して、軽い操作で第１の透明扉１８を開閉することができるようになり、第１の透明扉１８を開閉する際の操作性を著しく向上させることが可能となる。
【００４５】
この場合、案内溝２８の各内側後退部３１、３２と延在部２９の成す角度を、各外側後退部３３、３４と延在部２９の成す角度よりも直角に近いものとなるよう各角度を異なるものとしているので、第１の透明扉１８を開き始めるときに当該第１の透明扉１８をローラ４２を中心として回転させた場合、ローラ４１は第１の内側後退部３１内を円滑に移動し、延在部２９に至ることができる。そしてこの回転により、第１の透明扉１８の第２の透明扉１９側の端部が前側に移動した後、第１の透明扉１８を第２の透明扉１９側に移動させれば、ローラ４１は延在部２９内を左方向に移動し、ローラ４２は第１の外側後退部３３内を円滑に斜め前左方向に移動して延在部２９に至り、最終的に左方向に移動するようになる。このような構成としたことで、第１の透明扉１８の開き始めの二段階の動作が円滑に実現されるようになる。
【００４６】
また、このような移動中も第１の透明扉１８下部のボールベアリング４４は荷重受け面４８上を転動するので、第１の透明扉１８の荷重は荷重受け面にて安定的に受け止められる。特に、ボールベアリング４４は荷重受け面４８上を転動するのみであるので、従来の如く扉の下部も溝で規制された動作とした場合に比して、より円滑で容易なスライド移動を実現することが可能となる。
【００４７】
ここで、図８の状態から第１の透明扉１８を更に第２の透明扉１９側（左方向）に移動させていくと、やがて第２の透明扉１９に取り付けられたアーム３６のローラ板３８のローラ４３が第１の透明扉１８に取り付けられたアーム３６のローラ板３８の後面に滑動自在に当接し、図１１に至るまで当接した状態となる。また、第１の透明扉１８下部のローラ４６も第２の透明扉１９のサッシュ２２の下辺前面に滑動自在に当接し、図１１に至るまでに当接した状態となる。
【００４８】
また、案内溝２８は透明扉１８、１９が相互に衝突しないように、第１の透明扉１８の移動中から開放状態に至るまで、両透明扉１８、１９が相互に所定の間隔を存した状態となり、且つ、その間隔は第１の透明扉１８の移動中から開放状態まで、第１の透明扉１８が第２の透明扉１９の扉ハンドル２４を避けてスライドすることができる形状に設定されている。従って、移動の際に第２の透明扉１９の扉ハンドル２４と第１の透明扉１８が干渉する不都合も未然に回避することができる。
【００４９】
このとき、第２の透明扉１９側のローラ４３は第１の透明扉１８側のローラ板３８に当接し、第１の透明扉１８側のローラ４６は第２の透明扉１９に当接するので、第１の透明扉１８の移動中から開放状態に至るまで、両透明扉１８、１９間の間隔は適正に保持され、第１の透明扉１８が第２の透明扉１９側に近づき過ぎることが防止される。これにより、移動の際及び開放中における第２の透明扉１９の扉ハンドル２４や透明扉１９自体と第２の透明扉１８とが直接衝突する不都合を確実に防止しながら、第１の透明扉１８の円滑なスライドも担保することが可能となる。特に、ボールベアリング４４を荷重受け面４８に当接させて第１の透明扉１９を移動させているので、係る間隔保持構造を採ることにより、両透明扉１８、１９の下部同士が直接衝突する不都合も確実に防止することができる。
【００５０】
尚、前述した如く第２の透明扉１９を開放する場合にも、左右方向が逆になるだけで、第１の透明扉１８の場合と同様であり、円滑に第１の透明扉１８の前側に第２の透明扉１９を移動させることができる。また、実施例では手動にて透明扉１８、１９を開閉する場合について説明したが、それに限らず、モータ等の駆動装置を用いて自動的に開閉するようにしてもよい。また、例えば各後退部３１、３２の奥部を低くすることで、透明扉１８、１９を閉じた切るときに、重力で自動的に閉じる方向に移動できるようにしてもよい（自閉構造）。
【符号の説明】
【００５１】
１  ショーケース
２  本体
３  陳列室
４  前面開口
６  扉装置
１５  側部柱部材
１６  中央柱部材
１８  第１の透明扉
１９  第２の透明扉
２１  扉開閉案内機構
２２  サッシュ
２３  透明ガラス
２４  扉ハンドル
２６  ガスケット
２８  案内溝
２９  延在部
３１、３２  第１及び第２の内側後退部
３３、３４  第１及び第２の外側後退部
３６  アーム
３８  ローラ板
４１  ローラ（第１及び第２の内側係合部）
４２  ローラ（第１及び第２の外側係合部）
４３、４６  ローラ
４４  ボールベアリング
４８  荷重受け面
【図１】
2014150992.tif 000003
【図２】
2014150992.tif 000004
【図３】
2014150992.tif 000005
【図４】
2014150992.tif 000006
【図５】
2014150992.tif 000007
【図６】
2014150992.tif 000008
【図７】
2014150992.tif 000009
【図８】
2014150992.tif 000010
【図９】
2014150992.tif 000011
【図１０】
2014150992.tif 000012
【図１１】
2014150992.tif 000013
【図１２】
2014150992.tif 000014